(57)【要約】【課題】番組内のコマーシャル数の制限がなくなり、また、番組の内容や各場面に合致した違和感の少ないコマーシャルを提供できるコマーシャル処理装置を提供する。【解決手段】コマーシャル放送の受信中に、比較部１０５により、コマーシャルデータに付加されたコマーシャルの内容を表す情報を有するコマーシャルタグとユーザが予め設定した情報とを比較して、ユーザにとって有益なコマーシャルデータとそのコマーシャルタグをコマーシャル記録部１０７とコマーシャルタグ記録部１０９へ記録する。番組放送の受信中に、制御部１１０により、番組データに付加された番組の内容を表す情報を有する番組タグや各場面に関連する情報を有する番組タグに該当するコマーシャルタグをコマーシャルタグ記録部１０９から検索する。そして、その検索したコマーシャルタグに対応するコマーシャルを表示装置１１８に表示する。【選択図】図１
2006060626.tif 000002
【特許請求の範囲】
【請求項１】
コマーシャル放送の受信中に、コマーシャルデータとコマーシャルの内容を表す情報を有するコマーシャルタグを記録していき、番組放送の受信中に、番組の内容を表す情報を有する番組タグや各場面に関連する情報を有する番組タグを受信すると、記録したコマーシャルタグのうちから該番組タグに該当するコマーシャルタグを検索し、その検索したコマーシャルタグに対応するコマーシャルデータを番組データに代えて出力するコマーシャル処理装置であって、
ユーザにより予め設定されたユーザ情報を記録するユーザ情報記録手段と、
コマーシャル放送の受信中に、コマーシャルデータに付加されたコマーシャルタグと前記ユーザ情報とを比較する比較手段と、
前記比較手段の指示によりコマーシャルタグを記録するコマーシャルタグ記録手段と、
前記コマーシャルタグ記録手段により記録されるコマーシャルタグに対応するコマーシャルデータを記録するコマーシャル記録手段と、
番組放送の受信中に、番組データに任意に付加された番組タグを受信すると、前記コマーシャルタグ記録手段により記録されたコマーシャルタグのうちから該番組タグに該当するコマーシャルタグを検索するコマーシャルタグ検索手段と、
前記コマーシャルタグ検索手段により検索されたコマーシャルタグに対応するコマーシャルデータを前記コマーシャル記録手段により記録されたコマーシャルデータのうちから読み出すコマーシャル読み出し手段と、
前記コマーシャルタグ検索手段によりコマーシャルタグが検索されると、番組データに代えて前記コマーシャル読み出し手段により読み出されるコマーシャルデータを出力するセレクタ手段と、
を備えることを特徴とするコマーシャル処理装置。
【請求項２】
請求項１記載のコマーシャル処理装置であって、
番組放送の受信中に番組データと番組タグを記録する番組記録手段と、
前記番組記録手段により記録された番組データや番組タグの読み出し制御を行い、前記コマーシャル読み出し手段によるコマーシャルデータの読み出し中は番組データや番組タグの読み出しを中断する番組再生制御手段と、
を備え、前記コマーシャルタグ検索手段は、前記番組再生制御手段により読み出された番組タグを用いてコマーシャルタグを検索し、前記セレクタ手段は、前記番組再生制御手段により読み出される番組データと前記コマーシャル読み出し手段により読み出されるコマーシャルデータを選択して出力し、番組データの出力にコマーシャルデータを挿入することを特徴とするコマーシャル処理装置。
【請求項３】
コマーシャル放送の受信中に、コマーシャルデータとコマーシャルの内容を表す情報を有するコマーシャルタグを記録していき、番組放送の受信中に、番組の内容を表す情報を有する番組タグや各場面に関連する情報を有する番組タグを受信すると、記録したコマーシャルタグのうちから該番組タグに該当するコマーシャルタグを検索し、その検索したコマーシャルタグに対応するコマーシャルデータと番組データを合成したデータを出力するコマーシャル処理装置であって、
ユーザにより予め設定されたユーザ情報を記録するユーザ情報記録手段と、
コマーシャル放送の受信中に、コマーシャルデータに付加されたコマーシャルタグと前記ユーザ情報とを比較する比較手段と、
前記比較手段の指示によりコマーシャルタグを記録するコマーシャルタグ記録手段と、
前記コマーシャルタグ記録手段により記録されるコマーシャルタグに対応するコマーシャルデータを記録するコマーシャル記録手段と、
番組放送の受信中に番組データを復号して出力する番組デコード手段と、
番組放送の受信中に、番組データに任意に付加された番組タグを受信すると、前記コマーシャルタグ記録手段により記録されたコマーシャルタグのうちから該番組タグに該当するコマーシャルタグを検索するコマーシャルタグ検索手段と、
前記コマーシャルタグ検索手段により検索されたコマーシャルタグに対応するコマーシャルデータを前記コマーシャル記録手段により記録されたコマーシャルデータのうちから読み出すコマーシャル読み出し手段と、
前記コマーシャル読み出し手段により読み出されたコマーシャルデータを復号して出力するコマーシャルデコード手段と、
前記コマーシャルタグ検索手段によりコマーシャルタグが検索されると、前記番組デコード手段と前記コマーシャルデコード手段からの番組データとコマーシャルデータを合成して出力する合成手段と、
を備えることを特徴とするコマーシャル処理装置。
【請求項４】
請求項１ないし３のいずれかに記載のコマーシャル処理装置であって、
前記コマーシャル読み出し手段によるコマーシャルデータの読み出し履歴を保存するコマーシャル読み出し履歴保存手段を備え、
前記コマーシャルタグ検索手段は、番組タグに該当するコマーシャルタグを検索すると、前記コマーシャル読み出し履歴保存手段により保存された読み出し履歴に基づいて、その検索したコマーシャルタグに対応するコマーシャルデータを読み出すか否かを判断する機能を備える
ことを特徴とするコマーシャル処理装置。
【請求項５】
請求項４記載のコマーシャル処理装置であって、
出力された番組データやコマーシャルデータを表示する表示装置の前に視聴者がいるか否かを検出する人体センサ手段を備え、
前記コマーシャル読み出し履歴保存手段は、読み出し履歴に、前記人体センサ手段により表示装置の前に視聴者がいることが検出されたかどうかも加えて保存し、
前記コマーシャルタグ検索手段は、前記人体センサ手段により表示装置の前に視聴者がいることが検出されたときの読み出し履歴のみを用いてコマーシャルデータを読み出すか否かを判断する
ことを特徴とするコマーシャル処理装置。
【請求項６】
請求項４記載のコマーシャル処理装置であって、
出力された番組データやコマーシャルデータを表示する表示装置の前に視聴者がいるか否かを検出する人体センサ手段を備え、
前記コマーシャル読み出し履歴保存手段は、前記人体センサ手段により表示装置の前に視聴者がいることが検出されたときにのみ読み出し履歴を保存する
ことを特徴とするコマーシャル処理装置。
【請求項７】
請求項４もしくは６のいずれかに記載のコマーシャル処理装置であって、前記コマーシャル読み出し履歴保存手段が保存した各コマーシャルデータの読み出し履歴を通信回線を介して接続される視聴履歴管理者側のコンピュータ装置へ送信する機能を備えることを特徴とするコマーシャル処理装置。
【請求項８】
請求項７記載のコマーシャル処理装置を用いたコマーシャル視聴履歴管理システムであって、少なくとも１台のコマーシャル処理装置と、コマーシャル処理装置と通信回線を介して接続可能な視聴履歴管理者側のコンピュータ装置とを備え、視聴履歴管理者側のコンピュータ装置は、通信回線を介して前記コマーシャル読み出し履歴保存手段が保存した各コマーシャルデータの読み出し履歴を取得する機能を備えることを特徴とするコマーシャル視聴履歴管理システム。
【発明の詳細な説明】
【技術分野】
【０００１】
本発明は、デジタル放送網などの通信システムを通じて、各個人・各世帯毎にニーズにあったコマーシャルを提供するコマーシャル処理装置、およびコマーシャル処理装置に保存されたコマーシャルの視聴履歴を外部の視聴履歴管理者側において管理できるようにするコマーシャル視聴履歴管理システムに関する。
【背景技術】
【０００２】
従来のコマーシャル処理装置は、ユーザが予め設定した情報と配信中のコマーシャルに付加された情報とを比較して、ユーザのニーズに合ったコマーシャルか否かを判断し、ユーザのニーズに合ったコマーシャルと判断すると、配信されてくるコマーシャルを放映し、且つそのコマーシャルを内蔵蓄積装置（ＨＤＤ等）に記憶し、ユーザのニーズに合ったコマーシャルではないと判断すると、配信中のコマーシャルの代わりに、内蔵蓄積装置に既に記憶されている登録コマーシャルを放映していた（例えば、特許文献１参照。）。
【０００３】
以上のように、従来のコマーシャル処理装置は、配信されてくるコマーシャルがユーザのニーズに合ったコマーシャルであればそのまま放映し、そうでなければ内蔵蓄積装置に既に記憶されているユーザのニーズに合った登録コマーシャルを放映していた。
【０００４】
しかしながら、従来のコマーシャル処理装置では、番組内容にかかわらずユーザのニーズに合ったコマーシャルのみが放映され、番組の内容や各場面に合致するコマーシャルを提供することができなかった。
【０００５】
一方、コマーシャルは、番組中に定期的（通常１５分毎に１分程度）に挿入されるが、放送局側にとっては、その限られた時間内でコマーシャルを放送しなければならず、コマーシャルの数が制限されスポンサー数が限定されるという問題があった。
【０００６】
また、従来のコマーシャル処理装置は、登録コマーシャルを放映する頻度を制御することができず、同一のコマーシャルを何度も放映するなど、効率の悪いコマーシャルの提供がなされるおそれがあった。
【０００７】
また、従来のコマーシャル処理装置では、配信されてくるコマーシャルがユーザのニーズに合ったコマーシャルでない場合に登録コマーシャルが放映されるので、番組の視聴率とコマーシャルの視聴率が一致しない。しかし、従来のコマーシャル処理装置では、登録コマーシャルの視聴履歴を把握することができず、そのため実際にコマーシャルを視聴した人数の把握ができないままコマーシャル費用を算出しなければならなかった。
【特許文献１】特開２００３−１８８８３８号公報（第１図）
【発明の開示】
【発明が解決しようとする課題】
【０００８】
本発明は、上記問題点に鑑み、コマーシャル放送の受信中に、コマーシャルデータとコマーシャルの内容を表す情報を有するコマーシャルタグを記録していき、番組放送の受信中に、番組データに付加された番組の内容を表す情報を有する番組タグや各場面に関連する情報を有する番組タグを受信すると、記録したコマーシャルタグのうちから該番組タグに該当するコマーシャルタグを検索し、その検索したコマーシャルタグに対応するコマーシャルを表示することにより、番組内のコマーシャル数の制限がなくなり、また、番組の内容や各場面に合致した違和感の少ないコマーシャルを提供できるコマーシャル処理装置を提供することを目的とする。
【０００９】
また、本発明は、記録したコマーシャルデータの読み出し履歴（再生履歴）を保存し、番組タグに該当するコマーシャルタグを検索すると、保存した読み出し履歴に基づいて、その検索したコマーシャルタグに対応するコマーシャルデータを読み出すか否かを判断することにより、記録したコマーシャルデータを提供する頻度を制御できるようになり、効率良くコマーシャルを提供できるコマーシャル処理装置を提供することを目的とする。
【００１０】
また、本発明は、コマーシャル処理装置と通信回線を介して接続可能な視聴履歴管理者側のコンピュータ装置において、コマーシャル処理装置が保存している各コマーシャルデータの読み出し履歴（再生履歴）を取得できるようにすることにより、視聴履歴管理者側においてコマーシャルの視聴履歴が把握でき、実際にコマーシャルを視聴した人数を把握してスポンサーに対して広告費を決定できるようになるコマーシャル処理装置、およびコマーシャル視聴履歴管理システムを提供することを目的とする。
【課題を解決するための手段】
【００１１】
本発明の請求項１記載のコマーシャル処理装置は、コマーシャル放送の受信中に、コマーシャルデータとコマーシャルの内容を表す情報を有するコマーシャルタグを記録していき、番組放送の受信中に、番組の内容を表す情報を有する番組タグや各場面に関連する情報を有する番組タグを受信すると、記録したコマーシャルタグのうちから該番組タグに該当するコマーシャルタグを検索し、その検索したコマーシャルタグに対応するコマーシャルデータを番組データに代えて出力するコマーシャル処理装置であって、ユーザにより予め設定されたユーザ情報を記録するユーザ情報記録手段と、コマーシャル放送の受信中に、コマーシャルデータに付加されたコマーシャルタグと前記ユーザ情報とを比較する比較手段と、前記比較手段の指示によりコマーシャルタグを記録するコマーシャルタグ記録手段と、前記コマーシャルタグ記録手段により記録されるコマーシャルタグに対応するコマーシャルデータを記録するコマーシャル記録手段と、番組放送の受信中に、番組データに任意に付加された番組タグを受信すると、前記コマーシャルタグ記録手段により記録されたコマーシャルタグのうちから該番組タグに該当するコマーシャルタグを検索するコマーシャルタグ検索手段と、前記コマーシャルタグ検索手段により検索されたコマーシャルタグに対応するコマーシャルデータを前記コマーシャル記録手段により記録されたコマーシャルデータのうちから読み出すコマーシャル読み出し手段と、前記コマーシャルタグ検索手段によりコマーシャルタグが検索されると、番組データに代えて前記コマーシャル読み出し手段により読み出されるコマーシャルデータを出力するセレクタ手段と、を備えることを特徴とする。
【００１２】
また、本発明の請求項２記載のコマーシャル処理装置は、請求項１記載のコマーシャル処理装置であって、番組放送の受信中に番組データと番組タグを記録する番組記録手段と、前記番組記録手段により記録された番組データや番組タグの読み出し制御を行い、前記コマーシャル読み出し手段によるコマーシャルデータの読み出し中は番組データや番組タグの読み出しを中断する番組再生制御手段と、を備え、前記コマーシャルタグ検索手段は、前記番組再生制御手段により読み出された番組タグを用いてコマーシャルタグを検索し、前記セレクタ手段は、前記番組再生制御手段により読み出される番組データと前記コマーシャル読み出し手段により読み出されるコマーシャルデータを選択して出力し、番組データの出力にコマーシャルデータを挿入することを特徴とする。
【００１３】
また、本発明の請求項３記載のコマーシャル処理装置は、コマーシャル放送の受信中に、コマーシャルデータとコマーシャルの内容を表す情報を有するコマーシャルタグを記録していき、番組放送の受信中に、番組の内容を表す情報を有する番組タグや各場面に関連する情報を有する番組タグを受信すると、記録したコマーシャルタグのうちから該番組タグに該当するコマーシャルタグを検索し、その検索したコマーシャルタグに対応するコマーシャルデータと番組データを合成したデータを出力するコマーシャル処理装置であって、ユーザにより予め設定されたユーザ情報を記録するユーザ情報記録手段と、コマーシャル放送の受信中に、コマーシャルデータに付加されたコマーシャルタグと前記ユーザ情報とを比較する比較手段と、前記比較手段の指示によりコマーシャルタグを記録するコマーシャルタグ記録手段と、前記コマーシャルタグ記録手段により記録されるコマーシャルタグに対応するコマーシャルデータを記録するコマーシャル記録手段と、番組放送の受信中に番組データを復号して出力する番組デコード手段と、番組放送の受信中に、番組データに任意に付加された番組タグを受信すると、前記コマーシャルタグ記録手段により記録されたコマーシャルタグのうちから該番組タグに該当するコマーシャルタグを検索するコマーシャルタグ検索手段と、前記コマーシャルタグ検索手段により検索されたコマーシャルタグに対応するコマーシャルデータを前記コマーシャル記録手段により記録されたコマーシャルデータのうちから読み出すコマーシャル読み出し手段と、前記コマーシャル読み出し手段により読み出されたコマーシャルデータを復号して出力するコマーシャルデコード手段と、前記コマーシャルタグ検索手段によりコマーシャルタグが検索されると、前記番組デコード手段と前記コマーシャルデコード手段からの番組データとコマーシャルデータを合成して出力する合成手段と、を備えることを特徴とする。
【００１４】
また、本発明の請求項４記載のコマーシャル処理装置は、請求項１ないし３のいずれかに記載のコマーシャル処理装置であって、前記コマーシャル読み出し手段によるコマーシャルデータの読み出し履歴を保存するコマーシャル読み出し履歴保存手段を備え、前記コマーシャルタグ検索手段は、番組タグに該当するコマーシャルタグを検索すると、前記コマーシャル読み出し履歴保存手段により保存された読み出し履歴に基づいて、その検索したコマーシャルタグに対応するコマーシャルデータを読み出すか否かを判断する機能を備えることを特徴とする。
【００１５】
また、本発明の請求項５記載のコマーシャル処理装置は、請求項４記載のコマーシャル処理装置であって、出力された番組データやコマーシャルデータを表示する表示装置の前に視聴者がいるか否かを検出する人体センサ手段を備え、前記コマーシャル読み出し履歴保存手段は、読み出し履歴に、前記人体センサ手段により表示装置の前に視聴者がいることが検出されたかどうかも加えて保存し、前記コマーシャルタグ検索手段は、前記人体センサ手段により表示装置の前に視聴者がいることが検出されたときの読み出し履歴のみを用いてコマーシャルデータを読み出すか否かを判断することを特徴とする。
【００１６】
また、本発明の請求項６記載のコマーシャル処理装置は、請求項４記載のコマーシャル処理装置であって、出力された番組データやコマーシャルデータを表示する表示装置の前に視聴者がいるか否かを検出する人体センサ手段を備え、前記コマーシャル読み出し履歴保存手段は、前記人体センサ手段により表示装置の前に視聴者がいることが検出されたときにのみ読み出し履歴を保存することを特徴とする。
【００１７】
また、本発明の請求項７記載のコマーシャル処理装置は、請求項４もしくは６のいずれかに記載のコマーシャル処理装置であって、前記コマーシャル読み出し履歴保存手段が保存した各コマーシャルデータの読み出し履歴を通信回線を介して接続される視聴履歴管理者側のコンピュータ装置へ送信する機能を備えることを特徴とする。
【００１８】
また、本発明の請求項８記載のコマーシャル視聴履歴管理システムは、請求項７記載のコマーシャル処理装置を用いたコマーシャル視聴履歴管理システムであって、少なくとも１台のコマーシャル処理装置と、コマーシャル処理装置と通信回線を介して接続可能な視聴履歴管理者側のコンピュータ装置とを備え、視聴履歴管理者側のコンピュータ装置は、通信回線を介して前記コマーシャル読み出し履歴保存手段が保存した各コマーシャルデータの読み出し履歴を取得する機能を備えることを特徴とする。
【発明の効果】
【００１９】
以上のように、本発明によれば、番組データに、番組の内容を表す情報を有する番組タグや各場面に関連する情報を有する番組タグを挿入することで、その番組タグからコマーシャルを検索し表示するので、番組内のコマーシャル数の制限がなくなり、また、番組の内容や各場面に合致した違和感の少ないコマーシャルを提供することができる。
【００２０】
また、各コマーシャルデータの読み出し履歴を保存・管理するので、特にコマーシャルの提供時間や同一コマーシャルの間隔・頻度を制御して、効率的にコマーシャルを提供することができるようになる。
【００２１】
また、視聴履歴管理者側において、必要に応じて各ユーザのコマーシャルの読み出し履歴を照会することができ、例えば、この読み出し履歴に基づいて、スポンサーに対して広告費を決定できるようになる。
【発明を実施するための最良の形態】
【００２２】
以下、本発明の実施の形態について、図面を参照して説明する。
（実施の形態１）
図１は本実施の形態１におけるコマーシャル処理装置の基本構成図である。
【００２３】
図１において、アンテナ１０１は放送電波を受信する。受信部１０２はアンテナ１０１で受信した放送電波（アナログ信号）をデジタル信号に復調する。多重分離部１０３は、番組放送の受信中にはこのデジタル信号を番組データと番組タグに分離し、コマーシャル放送の受信中にはコマーシャルデータとコマーシャルタグに分離する。
【００２４】
図２に、番組放送とコマーシャル放送の一例を示す。図２に示す例では、９：００から９：５０まで番組データが配信され、９：５０から１０：００までコマーシャルデータが配信される。
【００２５】
番組データは番組のコンテンツデータ（映像データ・音声データなど）と番組データの処理を制御するためのシステムデータを含む。また、番組データには、番組タグが時分割で任意に付加されている。
【００２６】
番組タグには、番組の内容を表す情報を有するものや各場面に関連する情報を有するものなどがある。例えば、番組が料理番組であり、食品メーカが該番組のスポンサーとなっている場合には、番組の内容を表す情報を有する番組タグを「スポンサーの食品メーカ名、食品」などとする。また、例えば、自動車会社がスポンサーとなっており、ある場面で自動車が出てくる場合には、その場面に関連する情報を有する番組タグを「スポンサーの自動車会社名、自動車」などとして、その場面に関連付けて付加する。放送局側は、番組のスポンサーに応じた任意の番組タグを番組データに任意に付加することができる。
【００２７】
一方、コマーシャルデータはコマーシャルのコンテンツデータ（映像データ・音声データなど）とコマーシャルデータの処理を制御するためのシステムデータを含む。また、コマーシャルデータには、コマーシャルの内容を表す情報を有するコマーシャルタグが時分割で付加される。例えば、コマーシャルが食品のコマーシャルであればコマーシャルタグを「食品メーカ名、食品」などとする。
【００２８】
図２では、番組データに、９：００に番組に自動車が出てくるのに連動して「スポンサーの自動車会社名、自動車」の番組タグが付加される。同様に、９：０５に番組が健康の話になるのに連動して「スポンサーの食品メーカ名、健康食品」の番組タグが付加され、９：０７に番組に冷蔵庫が出てくるのに連動して「スポンサーの家電メーカ名、冷蔵庫」の番組タグが付加される。また、図２では、コマーシャルタグＡとコマーシャルデータＡ、コマーシャルタグＢとコマーシャルデータＢが対応している。
【００２９】
図１において、ユーザ情報記録部（ユーザ情報記録手段）１０４は、ユーザにより予め設定されたユーザ情報を記録する。ユーザ情報は、ユーザの家族構成・年齢・性別・趣味・趣向・居住地域等の情報である。なお、ユーザ情報は、所定の形式に沿ってユーザが予め設定するようにしてもよい。
【００３０】
比較部（比較手段）１０５は、コマーシャル放送の受信中に、多重分離部１０３で分離されたコマーシャルタグとユーザ情報記録部１０４が保持するユーザ情報とを所定のプログラムに沿って比較し、コマーシャルが視聴者にとって有益なコマーシャルか否かを判断する。
【００３１】
第２の記録制御部１０８は、比較部１０５の指示によりコマーシャルタグをコマーシャルタグ記録部１０９へ記録する。比較部１０５は、視聴者にとって有益なコマーシャルであると判断した場合に、そのコマーシャルのコマーシャルタグを記録する指令を第２の記録制御部１０８へ送る。なお、ここでは、コマーシャルタグ記録手段は、第２の記録制御部１０８とコマーシャルタグ記録部１０９からなる。
【００３２】
第１の記録制御部１０６は、比較部１０５の指示によりコマーシャルデータをコマーシャル記録部１０７へ記録する。比較部１０５は、視聴者にとって有益なコマーシャルであると判断した場合に、そのコマーシャルデータを記録する指令を第１の記録制御部１０６へ送る。なお、ここでは、コマーシャル記録手段は、第１の記録制御部１０６とコマーシャル記録部１０７からなり、コマーシャルタグ記録部１０９に記録されるコマーシャルタグに対応するコマーシャルデータを記録する。したがって、コマーシャル記録部１０７には、視聴者に有益なコマーシャルデータが蓄積されていく。
【００３３】
一方、第３の記録制御部１１３は、番組放送の受信中に、多重分離部１０３から番組データや番組タグを受けると、番組記録部１１４へ記録する。ここでは、番組記録手段は、第３の記録制御部１１３と番組記録部１１４からなる。
【００３４】
第３の再生制御部（番組再生制御手段）１１５は、番組記録部１１４に記録された番組データや番組タグの読み出し制御を行い、番組データを読み出すとセレクタ１１６へ送信する。また、番組タグを読み出すと制御部１１０へ送信する。
【００３５】
番組データとコマーシャルデータは、映像データや、音声データ、システムデータを含んでおり、制御部１１０は、システムデータを用いて当該コマーシャル処理装置全体の制御を司る。
【００３６】
制御部（コマーシャルタグ検索手段）１１０は、第３の再生制御部１１５から番組タグを受信すると、コマーシャルタグ記録部１０９に記録されたコマーシャルタグのうちから該番組タグに該当するコマーシャルタグを検索する。
【００３７】
具体的には、制御部１１０は、コマーシャルタグ記録部１０９からコマーシャルタグを読み出すよう第２の再生制御部１１１へ指令を送る。そして、読み出されたコマーシャルタグの中から所定のプログラムに沿って番組タグに完全一致あるいは一部一致するコマーシャルタグを検索する。第２の再生制御部１１１は、制御部１１０の指令によりコマーシャルタグ記録部１０９からコマーシャルタグを読み出す。
【００３８】
また、制御部１１０は、番組タグに該当するコマーシャルタグを検索すると、そのコマーシャルタグに対応するコマーシャルデータをコマーシャル記録部１０７から読み出すように第１の再生制御部１１２へ指令を送る。
【００３９】
第１の再生制御部（コマーシャル読み出し手段）１１２は、制御部１１０により検索されたコマーシャルタグに対応するコマーシャルデータをコマーシャル記録部１０７から読み出す。
【００４０】
また、制御部１１０は、番組タグに該当するコマーシャルタグを検索すると、ＡＶデコーダ部１１７への入力が、番組データから第１の再生制御部１１２により読み出されるコマーシャルデータへ切り換わるようにセレクタ１１６へ指令を送る。
【００４１】
セレクタ（セレクタ手段）１１６は、第１の再生制御部１１２により読み出されるコマーシャルデータと第３の再生制御部１１５により読み出される番組データを入力とし、通常は番組データを選択してＡＶデコーダ部１１７へ出力する。つまり、コマーシャル処理装置は、番組放送の受信中は、通常、番組データを出力して表示装置１１８に番組を表示させる。
【００４２】
また、セレクタ１１６は、制御部１１０によりコマーシャルタグが検索されると、番組データに代えて第１の再生制御部１１２により読み出されるコマーシャルデータを選択して出力する。
【００４３】
また、制御部１１０は、番組タグに該当するコマーシャルタグを検索すると、番組データや番組タグの読み出しを中断するように第３の再生制御部１１５へ指令を送る。第３の再生制御部１１５は、制御部１１０の指令に応じて、第１の再生制御部１１２によるコマーシャルデータの読み出し中は番組データや番組タグの読み出しを中断する。
【００４４】
また、制御部１１０は、コマーシャルデータの読み出し終了を判断すると、第３の再生制御部１１５へ読み出し再開の指令を送るとともに、ＡＶデコーダ部１１７への入力がコマーシャルデータから番組データへ切り換わるようにセレクタ１１６へ指令を送る。なお、コマーシャルデータの読み出し終了の判断は、コマーシャルデータのシステムデータに含まれる表示時間の情報に基づいて行う。
【００４５】
以上のように、セレクタ１１６は、制御部１１０からの指令に応じて、ＡＶデコーダ部１１７への入力を番組データとコマーシャルデータとの間で切り換える。これにより、番組放送の受信中に、番組データの出力にコマーシャルデータが挿入されるようになる。
【００４６】
また、第３の再生制御部１１５は、制御部１１０の指令に応じて、第１の再生制御部１１２によるコマーシャルデータの読み出し中は番組データや番組タグの読み出しを中断し、コマーシャルデータの読み出しが終了すると番組データや番組タグの読み出しを再開する。したがって、番組の途中でコマーシャルが表示された場合であっても、コマーシャル終了後、その中断されたところから番組が再生される。
【００４７】
ＡＶデコーダ部１１７は、セレクタ１１６により切り換えて入力される符号化された番組データとコマーシャルデータを復号する。この復号されたデータが表示装置１１８に表示される。
【００４８】
例えば、図２に示す例では、９：０５に番組が健康の話になるのに連動して「スポンサーの食品メーカ名、健康食品」の番組タグが配信されるが、ユーザの趣味・趣向の中で「健康」のキーワードがある場合、この番組タグを受けてコマーシャルタグ記録部１０９に記録されているコマーシャルタグの中から健康に関するコマーシャルタグの検索が行われる。「健康」を含むとともにスポンサー名が一致するコマーシャルタグがコマーシャルタグ記録部１０９に記録されていた場合には、そのコマーシャルタグに対応するコマーシャルデータをコマーシャル記録部１０７から読み出して、ＡＶデコーダ部１１７で復号し、その「健康」に係わるコマーシャルを表示装置１１８に表示する。
【００４９】
なお、コマーシャル放送中にはコマーシャルが表示され、番組放送中にコマーシャルが挿入された場合には、そのコマーシャルの時間分だけコマーシャル放送がカットされる。例えば、図２に示す例では９：５０からコマーシャル放送となるが、９：００〜９：５０までの番組放送中にコマーシャルが挿入されると、そのコマーシャルの時間分だけ９：５０からのコマーシャル放送がカットされる。
【００５０】
なお、図３に示すように、多重分離部１０３により分離された番組データを直接セレクタ１１６へ入力し、多重分離部１０３により分離された番組タグを直接制御部１１０へ入力する構成としてもよい。この場合、コマーシャルタグ記録部１０９に記録したコマーシャルタグのうちから番組タグに該当するコマーシャルタグが検索されると、該コマーシャルタグに対応するコマーシャルデータがＡＶデコーダ部１１７へ入力され、受信中の番組放送に代えてコマーシャルが表示され、その間の番組放送がカットされる。
【００５１】
（実施の形態２）
図４は本実施の形態２におけるコマーシャル処理装置の基本構成図である。なお、前述した実施の形態１で説明した部材に対応する部材には同一符号を付して説明を省略する。
【００５２】
当該コマーシャル処理装置では、多重分離部１０３により分離された番組データが第１のＡＶデコーダ部１１９へ入力され、多重分離部１０３により分離された番組タグが直接制御部１１０へ入力される。
【００５３】
第１のＡＶデコーダ部（番組デコード手段）１１９は、多重分離部１０３により分離された番組データを復号して合成部１２１へ出力する。第２のＡＶデコーダ部（コマーシャルデコード手段）１２０は、コマーシャル記録部１０７より読み出されたコマーシャルデータを復号して合成部１２１へ出力する。
【００５４】
合成部（合成手段）１２１は、制御部１１０によりコマーシャルタグが検索されると、第１と第２のＡＶデコーダ部１１９、１２０により復号化された番組データとコマーシャルデータを合成する。表示装置１１８は、合成部１２１により合成されたデータを表示する。
【００５５】
実施の形態１では、番組データとコマーシャルデータをセレクタ１１６により切り換えてＡＶデコーダ部１１７に入力していたが、本実施の形態２では、多重分離部１０３で分離された番組データは第１のＡＶデコーダ部１１９で復号し、コマーシャル記録部１０７から読み出されたコマーシャルデータは第２のＡＶデコーダ部１２０で復号し、合成部１２１において第１と第２のＡＶデコーダ１１９、１２０により復号した２つのデータを合成して表示装置１１８に表示する。
【００５６】
したがって、実施の形態１では、番組とコマーシャルが切り換えられて表示されるが、本実施の形態２では、番組とコマーシャルが合成されて表示される。例えば、親画面で番組を表示しながら、子画面でコマーシャルを表示することができる。さらに、第２のＡＶデコーダ部（コマーシャルデコード手段）を複数備えさせ、番組と複数のコマーシャルを多分割表示させることもできる。
【００５７】
以上のように、本実施の形態１、２によれば、番組データに、番組の内容を表す情報を有する番組タグや各場面に関連する情報を有する番組タグを挿入することで、その番組タグからコマーシャルを検索し表示するので、番組内のコマーシャル数の制限がなくなり、また、番組の内容や各場面に合致した違和感の少ないコマーシャルを提供することができる。
【００５８】
（実施の形態３）
図５は本実施の形態３におけるコマーシャル処理装置の基本構成図である。なお、前述した実施の形態１で説明した部材に対応する部材には同一符号を付して説明を省略する。
【００５９】
図５において、第１の再生制御部１１２は、読み出すコマーシャルデータの再生情報を再生履歴保存部１２２へ送信する。再生履歴保存部（コマーシャル読み出し履歴保存手段）１２２は、第１の再生制御部１１２より再生情報を受けると、第１の再生制御部１１２によるコマーシャルデータの再生履歴（読み出し履歴）として、例えばその読み出されたコマーシャルの再生日時や再生回数などを保存する。
【００６０】
また、制御部１１０は、番組タグに該当するコマーシャルタグを検索すると、再生履歴保存部１２２により保存された各コマーシャルデータの再生履歴に基づいて、その検索したコマーシャルタグに対応するコマーシャルデータを読み出すか否かを判断する機能を備える。例えば、同一コマーシャルは最低１２時間以上の間隔を空けて再生する頻度管理を行ったり、１６時から２０時の時間帯にのみ再生するような再生時間帯の管理を行ったりする。
【００６１】
実施の形態１では、制御部１１０は単に番組タグと完全一致あるいは一部一致するコマーシャルタグを検索していたが、本実施の形態３では、さらにコマーシャルデータの再生履歴（例えば再生日時や再生回数など）を用いて、再生頻度の管理や再生時間帯の管理を行う。
【００６２】
以上のように、本実施の形態３によれば、各コマーシャルデータの再生履歴を保存することで、特にコマーシャルの提供時間や同一コマーシャルの間隔・頻度を制御して、効率的にコマーシャルを提供することができるようになる。
【００６３】
（実施の形態４）
図６は本実施の形態４におけるコマーシャル処理装置の基本構成図である。なお、前述した実施の形態３で説明した部材に対応する部材には同一符号を付して説明を省略する。
【００６４】
図６において、人体センサ（人体センサ手段）１２３は、表示装置１１８の前に視聴者がいるか否かを検出する。また、再生履歴保存部１２２は、コマーシャルの表示中に、人体センサ１２３により視聴者が表示装置１１８の前にいることが検出されているか否かの情報も、再生履歴として記録する。また、制御部１１０は、人体センサ１２３により視聴者が表示装置１１８の前にいることが検出されたときの再生履歴のみを用いて再生頻度の管理や再生時間帯の管理を行う。
【００６５】
なお、再生履歴保存部１２２が、コマーシャルの表示中に、人体センサ１２３により表示装置１１８の前に視聴者がいることが検出されたときにのみ再生履歴を保存するようにしてもよい。
【００６６】
以上のように、本実施の形態４では、表示装置の前に視聴者がいたときの再生履歴のみを用いて表示するコマーシャルを決めるので、特に再生頻度の管理を行う場合に、効率的にコマーシャルを提供することができる。
【００６７】
（実施の形態５）
図７は本実施の形態５におけるコマーシャル視聴履歴管理システムの基本構成図である。なお、前述した実施の形態３で説明した部材に対応する部材には同一符号を付して説明を省略する。
【００６８】
図７において、再生履歴保存部１２２はネットワーク（通信回線）１２４に接続されている。また、ネットワーク１２４は、視聴履歴管理会社のサーバ等の視聴履歴管理者側のコンピュータ装置１２５に接続されている。
【００６９】
当該コマーシャル処理装置は、再生履歴保存部１２２が保存した各コマーシャルデータの再生履歴をネットワーク１２４を介して接続される視聴履歴管理者側のコンピュータ装置１２５へ送信する機能を備える。また、視聴履歴管理者側のコンピュータ装置１２５は、ネットワーク１２４を介して再生履歴保存部１２２が保存した各コマーシャルデータの再生履歴を取得する機能を備える。これにより、視聴履歴管理者側において、再生履歴保存部１２２に保存されている再生履歴を照会することができるようになる。
【００７０】
なお、１台のコマーシャル処理装置と視聴履歴管理者側のコンピュータ装置とを通信回線を介して接続した場合について説明したが、無論、視聴履歴管理者側のコンピュータ装置に接続されるコマーシャル処理装置は１台に限るものではない。
【００７１】
以上のように、本実施の形態５によれば、再生履歴保存部１２２とネットワーク１２４を介して接続されている視聴履歴管理者側のコンピュータ装置１２５において、必要に応じて各ユーザの再生履歴保存部１２２に保存されているコマーシャルの再生履歴を照会することができ、例えば、この再生履歴に基づいて、スポンサーに対して広告費を決定できるようになる。
【産業上の利用可能性】
【００７２】
本発明にかかるコマーシャル処理装置は、番組内のコマーシャル数の制限がなくなり、コマーシャルだけを視聴する機器等として有用である。また、記録したコマーシャルの内から番組データに付加された番組タグに該当するコマーシャルを検索して表示するので、例えば教育番組やクイズ番組の解答・解説をコマーシャルの代わりに予め放送しておくことで、教育等の用途にも応用できる。
【図面の簡単な説明】
【００７３】
【図１】本発明の実施の形態１におけるコマーシャル処理装置の基本構成図
【図２】本発明の実施の形態における番組放送とコマーシャル放送の一例を示す図
【図３】本発明の実施の形態１におけるコマーシャル処理装置の基本構成図
【図４】本発明の実施の形態２におけるコマーシャル処理装置の基本構成図
【図５】本発明の実施の形態３におけるコマーシャル処理装置の基本構成図
【図６】本発明の実施の形態４におけるコマーシャル処理装置の基本構成図
【図７】本発明の実施の形態５におけるコマーシャル視聴履歴管理システムの基本構成図
【符号の説明】
【００７４】
１０１      アンテナ
１０２      受信部
１０３      多重分離部
１０４      ユーザ情報記録部
１０５      比較部
１０６      第１の記録制御部
１０７      コマーシャル記録部
１０８      第２の記録制御部
１０９      コマーシャルタグ記録部
１１０      制御部
１１１      第２の再生制御部
１１２      第１の再生制御部
１１３      第３の記録制御部
１１４      番組記録部
１１５      第３の再生制御部
１１６      セレクタ
１１７      ＡＶデコーダ部
１１８      表示装置
１１９      第１のＡＶデコーダ部
１２０      第２のＡＶデコーダ部
１２１      合成部
１２２      再生履歴保存部
１２３      人体センサ
１２４      ネットワーク
１２５      視聴履歴管理者側のコンピュータ装置
【図１】
2006060626.tif 000003
【図２】
2006060626.tif 000004
【図３】
2006060626.tif 000005
【図４】
2006060626.tif 000006
【図５】
2006060626.tif 000007
【図６】
2006060626.tif 000008
【図７】
2006060626.tif 000009